(57)【要約】【課題】信号のデータレートが非常に高い場合であっても、ローパスフィルタ特性を持つ伝送路を介してシリアルに受信された信号を、トランスミッタから送信された信号とほぼ等しい信号に復元することができるインプットイコライザを提供する。【解決手段】本発明のインプットイコライザは、レシーバで受信された信号のうち、伝送路のローパスフィルタ特性によって減衰された高周波成分の信号を通過させるハイパスフィルタと、このハイパスフィルタから出力される高周波成分の信号を増幅出力するアンプと、レシーバで受信された信号とアンプから増幅出力された高周波成分の信号とを加算する加算器と、この加算器から出力される信号と基準信号とを比較して、トランスミッタから送信された信号とほぼ等しい信号に復元するコンパレータとを備えている。【選択図】図１
2004120468.tif 000002
【特許請求の範囲】
【請求項１】
トランスミッタからシリアルに送信され、ローパスフィルタ特性を持つ伝送路を介してレシーバでシリアルに受信された信号を、前記トランスミッタから送信された信号と概略等しい信号に復元するインプットイコライザであって、
前記レシーバで受信された信号のうち、前記伝送路のローパスフィルタ特性によって減衰された高周波成分の信号を通過させるハイパスフィルタと、このハイパスフィルタから出力される高周波成分の信号を増幅出力するアンプと、前記レシーバで受信された信号と前記アンプから増幅出力された高周波成分の信号とを加算する加算器と、この加算器から出力される信号と基準信号とを比較して、前記トランスミッタから送信された信号と概略等しい信号に復元するコンパレータとを備えていることを特徴とするインプットイコライザ。
【発明の詳細な説明】
【０００１】
【発明の属する技術分野】
本発明は、トランスミッタからシリアルに送信され、伝送路を介してレシーバでシリアルに受信された信号を、トランスミッタから伝送された信号とほぼ等しい信号に復元するインプットイコライザに関するものである。
【０００２】
【従来の技術】
図３は、従来のシリアル伝送装置の一例の構成概略図である。同図に示すシリアル伝送装置３０は、トランスミッタ１２と、伝送路１４と、レシーバ１６とを備えている。
【０００３】
トランスミッタ１２からは、例えば図４（ａ）の波形図に示す信号（デジタルデータ）がシリアルに送信される。
【０００４】
なお、図４（ａ）〜（ｄ）の信号波形図において、縦軸は信号の電圧を表し、横軸は信号の時間経過を表す。また、縦軸の中央部分は、信号の電圧が０Ｖであるゼロポイントである。信号波形が、このゼロポイントよりも上側にある場合はプラスの電圧であり、下側にある場合はマイナスの電圧である。また、図３には、図４（ａ）〜（ｄ）の波形図に対応する信号線に符号（ａ）〜（ｄ）を付してある。
【０００５】
伝送路１４は、一般的に所定のローパスフィルタ特性を持っている。従って、トランスミッタ１２から伝送路１４を介して送信される信号は、所定周波数（カットオフ周波数）以上の高周波成分の信号が減衰され、時間的に前後する信号間で干渉（ＩＳＩ：ＩｎｔｅｒＳｙｍｂｏｌ　Ｉｎｔｅｒｆａｃｅ　）を起こす。従って、レシーバ１６で受信された信号は、例えば図４（ｂ）に示すように、ゼロポイントをクロスしない信号を含む。
【０００６】
レシーバ１６は、伝送路１４を介してシリアルに受信された信号（図４（ｂ））を、トランスミッタ１２から送信された信号とほぼ等しい信号に復元するインプットイコライザ３２を備えている。このインプットイコライザ３２は、図３に示すように、３個のサンプルホールド回路３４と、３個のアンプ３６と、加算器３８と、コンパレータ４０とを備えている。レシーバ１６で受信された信号は加算器３８に入力される。
【０００７】
３個のサンプルホールド回路（Ｚ−１）３４は直列に接続されており、初段のサンプルホールド回路３４にはコンパレータ４０からの出力信号、すなわち既に復元済みの信号が入力される。このインプットイコライザ３２の場合、３個のサンプルホールド回路３４には、既に復元済みの３個前までの信号が保持される。なお、図示例では３個のサンプルホールド回路３４を用いているが、その個数は何ら限定されない。
【０００８】
また、各々のサンプルホールド回路３４からの出力信号、すなわち既に復元済みの３個前までの信号が各々対応するアンプ３６に入力され、各々のアンプ３６によって、所定の増幅率ａ１，ａ２，ａ３で重み付けが行われて増幅出力された信号が加算器３８に入力される。
【０００９】
加算器３８では、レシーバ１６で受信された現在の信号（図４（ｂ））から、各々のアンプ３６から増幅出力された復元済みの３個前までの信号が減算され、図４（ｃ）に示す信号波形が生成される。これにより、前述のＩＳＩが補償される。加算器３８からの出力信号（図４（ｃ））は、コンパレータ４０によって基準信号（ゼロポイント）と比較され、トランスミッタ１２から送信された信号（図４（ａ））とほぼ等しい信号（図４（ｄ））に復元される。
【００１０】
ここで、図３に示すシリアル伝送装置３０のレシーバ１６で用いられているインプットイコライザ３２において、サンプルホールド回路３４は、信号のデータレートと同じ周波数で動作させる必要がある。しかしながら、従来のインプットイコライザ３２では、信号のデータレートが高くなるにしたがって、高速動作するサンプルホールド回路３４を構成するのが非常に困難になるという問題があった。
【００１１】
【発明が解決しようとする課題】
本発明の目的は、前記従来技術に基づく問題点を解消し、信号のデータレートが非常に高い場合であっても、ローパスフィルタ特性を持つ伝送路を介してシリアルに受信された信号を、トランスミッタから送信された信号とほぼ等しい信号に復元することができるインプットイコライザを提供することにある。
【００１２】
【課題を解決するための手段】
上記目的を達成するために、本発明は、トランスミッタからシリアルに送信され、ローパスフィルタ特性を持つ伝送路を介してレシーバでシリアルに受信された信号を、前記トランスミッタから送信された信号と概略等しい信号に復元するインプットイコライザであって、
前記レシーバで受信された信号のうち、前記伝送路のローパスフィルタ特性によって減衰された高周波成分の信号を通過させるハイパスフィルタと、このハイパスフィルタから出力される高周波成分の信号を増幅出力するアンプと、前記レシーバで受信された信号と前記アンプから増幅出力された高周波成分の信号とを加算する加算器と、この加算器から出力される信号と基準信号とを比較して、前記トランスミッタから送信された信号と概略等しい信号に復元するコンパレータとを備えていることを特徴とするインプットイコライザを提供するものである。
【００１３】
【発明の実施の形態】
以下に、添付の図面に示す好適実施形態に基づいて、本発明のインプットイコライザを詳細に説明する。
【００１４】
図１は、本発明のインプットイコライザを適用するシリアル伝送装置の一実施形態の構成概略図である。同図に示すシリアル伝送装置１０は、トランスミッタ１２と、伝送路１４と、レシーバ１６とを備えている。トランスミッタ１２とレシーバ１６とは伝送路１４を介してシリアルに接続されている。シリアル伝送装置１０では、トランスミッタ１２から伝送路１４を介してシリアルに送信されてくる信号がレシーバ１６でシリアルに受信される。
【００１５】
なお、図１に示すシリアル伝送装置１０は、図３に示すシリアル伝送装置３０と比べて、レシーバ１６の構造が異なるだけであるから、以下、レシーバ１６について説明する。
【００１６】
レシーバ１６は、伝送路１４を介してシリアルに受信された信号を、トランスミッタ１２から送信された信号とほぼ等しい信号に復元するインプットイコライザ１８を備えている。このインプットイコライザ１８は、加算器２０と、ハイパスフィルタ２２と、アンプ２４と、コンパレータ２６とを備えている。レシーバ１６で受信された信号は、加算器２０およびハイパスフィルタ２２の両方に入力される。
【００１７】
ハイパスフィルタ２２は、レシーバ１６で受信された信号のうち、伝送路１４のローパスフィルタ特性によって減衰された高周波成分の信号（伝送路１４のローパスフィルタ特性に依存したカットオフ周波数以上の高周波成分の信号）を通過させる。ハイパスフィルタ２２から出力された高周波成分の信号はアンプ２４に入力される。
【００１８】
アンプ２４は、ハイパスフィルタ２２から出力された高周波成分の信号を所定の増幅率ａ１で増幅出力する。アンプ２４によって増幅出力された高周波成分の信号は加算器２０に入力される。
【００１９】
加算器２０は、レシーバ１６で受信された信号とアンプ２４から増幅出力された高周波成分の信号とを加算する。加算器２０からの出力信号はコンパレータ２６に入力される。
【００２０】
コンパレータ２６は、加算器２０から出力された信号と基準信号（ゼロポイント）とを比較して、トランスミッタ１２から送信された信号とほぼ等しい信号に復元する。
【００２１】
なお、ハイパスフィルタ２２のカットオフ周波数は、伝送路１４のカットオフ周波数に応じて適宜調整するのが好ましい。また、アンプ２４の増幅率ａ１も伝送路１４による信号の減衰率に応じて適宜調整するのが好ましい。
【００２２】
次に、図２に示す信号波形図を参照しながら、図１に示すシリアル伝送装置１０の動作を説明する。
【００２３】
トランスミッタ１２からは、例えば図２（ａ）の波形図に示す信号（デジタルデータ）がシリアルに送信される。
【００２４】
なお、図４（ａ）〜（ｄ）の場合と同様に、図２（ａ）〜（ｅ）の信号波形図において、縦軸は信号の電圧を表し、横軸は信号の時間経過を表す。また、縦軸の中央部分は、信号の電圧が０Ｖであるゼロポイントである。信号波形が、このゼロポイントよりも上側にある場合はプラスの電圧であり、下側にある場合はマイナスの電圧である。また、図１には、図２（ａ）〜（ｅ）の波形図に対応する信号線に符号（ａ）〜（ｅ）を付してある。
【００２５】
従来技術の説明の欄で述べたように、伝送路１４は、所定のローパスフィルタ特性を持っている。従って、トランスミッタ１２から伝送路１４を介して送信されてくる信号は、所定周波数（カットオフ周波数）以上の高周波成分の信号が減衰され、時間的に前後する信号間で干渉（ＩＳＩ）を起こす。このため、レシーバ１６で受信された信号は、図２（ｂ）に示すように、ゼロポイントをクロスをしない信号を含む。
【００２６】
インプットイコライザ１８では、ハイパスフィルタ２２により、レシーバ１６で受信された信号（図２（ｂ））のうち、伝送路１４のローパスフィルタ特性によって減衰された高周波成分の信号が取り出され、アンプ２４によって、例えば図２（ｃ）に示すような高周波成分の信号波形が増幅出力される。
【００２７】
続いて、加算器２０により、レシーバ１６で受信された信号（図２（ｂ））とアンプ２４から増幅出力された信号（図２（ｃ））とが加算されて、図２（ｄ）に示す信号が生成される。図２（ｄ）に示すように、加算器２０から出力される信号は、全ての信号波形がゼロポイントを所定の一定時間以上クロスする信号であり、コンパレータ２６によって‘１’であるのか‘０’であるのかを識別可能である。
【００２８】
そして、コンパレータ２６により、加算器２０からの出力信号（図２（ｄ））が基準信号（ゼロポイント）と比較されて、トランスミッタ１２から送信された信号とほぼ等しい信号に復元され、図２（ｅ）に示す信号波形が得られる。コンパレータ２６では、信号が所定の一定時間以上ゼロポイントよりもプラス側である場合には‘１’であると識別し、マイナス側である場合には‘０’であると識別する。
【００２９】
このようにして、インプットイコライザ１８では、信号のデータレートが非常に高い場合であっても、ローパスフィルタ特性を持つ伝送路１４を介してレシーバ１６でシリアルに受信された信号を、トランスミッタ１２から送信された信号とほぼ等しい信号に復元することができる。また、インプットイコライザ１８は、サンプルホールド回路を使用していないので、信号のデータレートが非常に高くなった場合であっても高速動作が可能である。
【００３０】
本発明は、基本的に以上のようなものである。
以上、本発明のインプットイコライザについて詳細に説明したが、本発明は上記実施形態に限定されず、本発明の主旨を逸脱しない範囲において、種々の改良や変更をしてもよいのはもちろんである。
【００３１】
【発明の効果】
以上詳細に説明した様に、本発明のインプットイコライザは、ハイパスフィルタにより、レシーバで受信された信号のうち、伝送路のローパスフィルタ特性によって減衰された高周波成分の信号を取り出し、取り出された高周波成分の信号をアンプによって増幅出力し、加算器により、レシーバで受信された信号とアンプから増幅出力された高周波成分の信号とを加算し、コンパレータにより、加算器から出力される信号と基準信号とを比較して、トランスミッタから送信された信号と概略等しい信号に復元するものである。
これにより、本発明のインプットイコライザによれば、信号のデータレートが非常に高い場合であっても、ローパスフィルタ特性を持つ伝送路を介してシリアルに受信された信号を、トランスミッタから送信された信号とほぼ等しい信号に復元することができる。
【図面の簡単な説明】
【図１】本発明のインプットイコライザを適用するシリアル伝送装置の一実施形態の構成概略図である。
【図２】（ａ）〜（ｅ）は、それぞれ図１に示すシリアル伝送装置の各信号線（ａ）〜（ｅ）における一実施形態の信号波形図である。
【図３】従来のシリアル伝送装置の一例の構成概略図である。
【図４】（ａ）〜（ｄ）は、それぞれ図３に示すシリアル伝送装置の各信号線（ａ）〜（ｄ）における一例の信号波形図である。
【符号の説明】
１０，３０　シリアル伝送装置
１２　トランスミッタ
１４　伝送路
１６　レシーバ
１８，３２　インプットイコライザ
２０，３８　加算器
２２　ハイパスフィルタ
２４，３６　アンプ
２６　コンパレータ
３４　サンプルホールド回路
【図１】
2004120468.tif 000003
【図２】
2004120468.tif 000004
【図３】
2004120468.tif 000005
【図４】
2004120468.tif 000006